【事件の表示】
　平成１０年特許願第　４６１３２号「アルテミシア（Ａｒｔｅｍｉｓｉａ）を主とした薬用植物を混入の生物が分解可能な澱粉樹脂とその製品」拒絶査定に対する審判事件［平成１１年　８月　３日出願公開、特開平１１−２０９５１４］について、次のとおり審決する。
【結　論】
　本件審判の請求は、成り立たない。
【理　由】
１．本願発明
　本願は、平成１０年１月２２日の出願であって、請求項１〜６に係る発明は、明細書の記載から見て、その特許請求の範囲の請求項１〜６に記載された事項により特定されたとおりのもと認められ、請求項１には次のとおり記載されている。
「【請求項１】アルテミシア（Ａｒｔｅｍｉｓｉａ）を主とする薬用植物５〜３８．５％、コンスターチ或いはポテトスターチ或いはその他の澱粉４０〜８０％、脂肪５〜１５％、水０．５〜２％、グリセリン１〜５％、ポリプロピレン（ＰＰ）又はポリエチレン（ＰＥ）或いはその他のプラスチック酸３〜１０％、エチレンメタクリル酸ないしエチレンアクリル酸１０〜２５％を配合してなる、生物が分解可能な薬用植物混入の澱粉樹脂。」（以下、本願発明という）
２．引用例に記載の事項
　（１）原査定の拒絶の理由において引用された本願出願前に国内において頒布された刊行物である特開平９−２９６０７６号公報（以下、引用例１という。）には、以下の記載がされている。
「 【請求項１】コーンスターチ或いはポテトスターチ或いはその他の澱粉４０〜８０％、脂肪５〜１５％、水０．５〜２％、ポリプロピレン（ＰＰ）又はポリエチレン（ＰＥ）或いはその他のプラスチック３〜１０％、グリセリン１〜５％、蛋白質２〜８％、及びエチレンメタクリル酸ないしエチレンアクリル酸１０〜２５％を配合してなる、生物が分解可能な澱粉樹脂。
【請求項６】 請求項１から請求項５のいずれかの生物が分解可能な澱粉樹脂を、加工してフィルム、又はゴルフのティー、又は発泡物質、又は容器瓶とした製品。」（請求項１，６）
「【発明が解決しようとする課題】本発明は、自然界中で生物により分解可能で、大量に使用されているプラスチック及び紙製品に代わって使用できる材料を提供することを課題とする。」（段落【０００３】）
「本発明の生物が分解可能な澱粉樹脂を主要原料として、直接射出成形により、フィルムとなし該フィルムを加工してゴミ袋、苗包装袋、レインコートなどを製造するか、或いは容器瓶、カップ、ゴルフのティー、或いは発泡製品（果物の保護カバー、使い捨て食器など）を製造することができる。」（段落【００１９】）
「本発明の生物が分解可能な澱粉樹脂はその主要原料が澱粉であるため、使用後に大自然中に廃棄しても生物により分解可能で並びに肥料となる。例えば、フィルム製品となしたものでは、廃棄後、約１０日で裂解開始し、３０日内で微生物を発生し、９０日内で完全に破裂し、一年内で約５センチのブロック状となり、二年内に約１センチのブロック状となり、その後その７０％以上は二酸化炭素となり３０％以内は肉眼で確認できない細小粒状となる。それは動物或いは昆虫の食用となり、生物の存在する環境の下ではさらに消滅の速度は加速される。もし本製品を焼却する場合には、速やかに燃焼して灰塵となり、並びにダイオキシンなど有毒ガスを発生せず、且つその燃焼値は僅かに１１０カロリーであり、大気環境に対して不良の影響を発生しない。」（段落【００２０】）
　（２）同じく、引用された本願出願前に国内において頒布された刊行物である特開平８−３１１２４３号公報（以下、引用例２という。）には、以下の記載がされている。
「【従来の技術】従来のデンプン系発泡性組成物は、生分解性を有するという利点はあるものの、スチロール系発泡性組成物と比較し、耐水性、抗菌性、防カビ性、耐衝撃性においても劣っている。従って、このような欠点のないデンプン系発泡性組成物の開発が強く要望されている。」（段落【０００２】）
「【発明が解決しようとする課題】本発明は、耐水性、抗菌性、防カビ性、
耐衝撃性の点において改善されたデンプン系発泡性組成物を提供する
ことをその課題とする。」（段落【０００３】）
　（３）同じく、引用された本願出願前に国内において頒布された刊行物である特開平６−２２７９３１号公報（以下、引用例３という。）には、以下の記載がされている。
「【産業上の利用分野】本発明は、ある種の植物を原料とするすぐれた抗菌性を有する抗菌性成分、その抗菌性成分を含有または担持する抗菌性製品、およびその抗菌性成分を製造する方法に関するものである。」（段落【０００１】）
「【従来の技術】ショウキョウ（ショウガ）、ササ、ヨモギなど各種の植物からの水や有機溶剤による抽出分には、抗菌力を示す成分が含まれている。一例をあげると、特開昭６０−３２７０５号公報にはショウガ根茎の抽出物を有効成分とする抗微生物剤が示されている。」（段落【０００２】）
「このような抗菌成分は、天然物である植物から抽出したものであるため安全性が高く、食品添加剤、化粧品添加剤などとしての用途が期待できる。」（段落【０００３】）
「上記乾留操作により得られた抗菌性成分は、食品、化粧品、医薬部外品などへの添加剤として有用である。また、食品等を載せる鮮度保持シートやトレイの内部または／および表面に含有または担持させる鮮度保持剤、食品等を包む包材の内部または／および表面に含有または担持させる鮮度保持剤、観賞魚の水槽中に添加する腐敗防止剤、切り花の寿命延長剤などとしても用いることができる。すなわち、本発明において抗菌性成分とは、抗菌剤、防腐剤、静菌剤、抗微生物剤、鮮度保持剤、寿命延長剤など呼び方を問わず、抗菌力を発揮する成分の意味である。」（段落【００１６】）
　（４）同じく、引用された本願出願前に国内において頒布された刊行物である特開平７−３３６３６号公報（以下、引用例４という。）には、以下の記載がされている。
「【産業上の利用分野】この発明はヨモギを焙煎処理又は遠赤外焙煎処理することにより、本来ヨモギが有するいくつかの生理活性を高めるだけでなく、新たな生理活性を誘導する効果を持つその抽出法に関するものであり、さらにその処理によつて得たヨモギ抽出物を、抗菌活性、消臭活性、抗酸化活性、アミラーゼ阻害活性等を目的として添加したふりかけ等の食品、シヤンプー、リンス、ハミガキ、入浴剤、デオドラント剤、スキンローシヨンなどの化粧品に利用する素材に関するものである。」（段落【０００１】）
３．対比・判断
　本願発明と引用例１に記載された発明とを対比すると、両者は、
「コンスターチ或いはポテトスターチ或いはその他の澱粉４０〜８０％、脂肪５〜１５％、水０．５〜２％、グリセリン１〜５％、ポリプロピレン（ＰＰ）又はポリエチレン（ＰＥ）３〜１０％、エチレンメタクリル酸ないしエチレンアクリル酸１０〜２５％を配合してなる、生物が分解可能な澱粉樹脂」の点で一致し、次の点で相違している。
（イ）澱粉樹脂について、さらに配合する成分として、本願発明が、「アルテミシア（Ａｒｔｅｍｉｓｉａ）を主とする薬用植物５〜３８．５％、」としているのに対し、引用例１に記載の発明は、特に記載していない点
（ロ）本願発明の澱粉樹脂には、引用例１に記載の蛋白質２〜８％を配合していない点
（ハ）澱粉樹脂について、本願発明が、「生物が分解可能な薬用植物混入の澱粉樹脂」としているのに対し、引用例１に記載の発明では記載していない点
　そこで、上記相違点について検討する。
　相違点（イ）について、
　引用例２には、「従来のデンプン系発泡性組成物は、生分解性を有するという利点はあるものの、スチロール系発泡性組成物と比較し、耐水性、抗菌性、防カビ性、耐衝撃性においても劣っている。従って、このような欠点のないデンプン系発泡性組成物の開発が強く要望されている。」（【従来の技術】の項）と記載され、澱粉系組成物が抗菌性、防カビ性に劣ることが記載されている。
　また、引用例３には、ヨモギ（学名アルテミシア）から抗菌性成分を得、これを食品等を載せる鮮度保持シートやトレイの内部または／および表面に含有または担持させることが記載され、引用例４には、ヨモギ（学名アルテミシア）のもつ生理活性物質として抗菌性のあることが記載されている。
　そうすると、引用例２の記載に基づき、引用例１に記載された澱粉樹脂についても必要な抗菌性を付与するためには、抗菌性物質を配合すればよいことは容易に想到し得るものであり、そして、抗菌性物質として用いられている引用例３〜４に記載されたヨモギ（学名アルテミシア）を配合するにあたり、そのもの自体を配合するか、あるいは加工してより効果のある成分として配合するかは、当業者が必要に応じて適宜成し得ることといえる。また、その配合割合についても、当業者が必要に応じて適宜成し得ることといえる。
　相違点（ロ）について、
　澱粉樹脂に蛋白質を加えるか加えないかは、澱粉樹脂の目的により必要に応じて行いうるものといえ、蛋白質を加えないことに格別の創意工夫があるということはできない。
　相違点（ハ）について、
　ヨモギ（学名アルテミシア）は、一般に薬用植物といわれているものであるから（引用例３）、これを澱粉樹脂に加えれば、当然「薬用植物混入」となるものであって、このことは、単に澱粉樹脂にヨモギを加えたことを示した程度のものというべきである。
　そして、明細書の記載によっては、本願発明が格別予想外の効果を奏したものともいえない。
４．むすび
　したがって、本願発明は、引用例１〜４に記載された発明に基づいて当業者が容易に発明をすることができたものであるから、特許法第２９条第２項の規定により、特許を受けることができない。
　よって、結論のとおり審決する。